(57)【要約】【課題】  押し波にも強いと同時に津波が防潮堤を越流した場合にも、揚圧力（負圧）が作用しない、もしくは揚圧力を低減させることができる耐津波性および耐震性を確保した耐震性防潮堤盛土のり面の緑化工法を提供する。【解決手段】  耐震性防潮堤盛土のり面の被覆工の緑化工法において、被覆工と、堤体盛土とをジオシンセティックスの補強体で一体化して、耐震性を高めるとともに津波越流時に生じる揚圧力（負圧）が作用しないようにするために、前記防潮堤の越流側の被覆工のコンクリートに透水性・通気性に優れた多孔質コンクリートを用い、しかも前記多孔質コンクリートを緑化する耐津波性および耐震性を確保するようにした。【選択図】  図１
2014177777.tif 000002
【特許請求の範囲】
【請求項１】
津波越流時に作用する揚圧力によってのり面被覆工が剥ぎとられないように、ジオシンセティック補強材によって堤体盛土と一体化し、耐震性、耐津波性を高めることを特徴とする耐震性防潮堤盛土のり面の緑化工法。
【請求項２】
請求項１記載の耐震性防潮堤盛土のり面の緑化工法において、防潮堤の、前記下流側裏のり面の被覆工に津波越流時に生じる揚圧力（負圧）が作用しないようにするために、ハニカム状あるいは格子状型枠内に透水性・通気性に優れた多孔質コンクリートを用い、中詰めする方法とし、しかも前記多孔質コンクリートを用いて緑化することを特徴とする耐震性防潮堤盛土のり面の緑化工法。
【請求項３】
請求項１記載の耐震性防潮堤盛土のり面の緑化工法において、前記下流側裏のり面の被覆工の緑化部のみが剥ぎとられた後の、引き波時にも堤体盛土の剛性のあるのり面工構造体として機能することを特徴とする耐震性防潮堤盛土のり面の緑化工法。
【請求項４】
請求項１記載の耐震性防潮堤盛土のり面の緑化工法において、前記多孔質コンクリートは剛壁面一体化堤体盛土の構造体として機能するように高強度化するとともに、緑化工として機能させるために保水性がある材料特性を有するポーラスコンクリートを用いることを特徴とする耐震性防潮堤盛土のり面の緑化工法。
【請求項５】
請求項４記載の耐震性防潮堤盛土のり面の緑化工法において、強度と植生コンクリートしての保水性を確保するために、単粒土砕石の粒径を前記ポーラスコンクリートより大きくすると共に、その空隙を保水性の大きい高強度鹿沼土と細粒土で埋める保水性・高強度ポーラスコンクリートを用いることを特徴とする耐震性防潮堤盛土のり面の緑化工法。
【請求項６】
請求項１記載の耐震性防潮堤盛土のり面の緑化工法において、潮風が強い海岸部、酸性土壌（ｐＨ４．５）、あるいはアルカリ土壌（ｐＨ９）でも生育するベンケイソウ科、シーショアパスパラム、またはイワダレソウを改良した種類の植物の苗、および被覆材、侵食防止材、増粘剤等を混入した流動性処理土をハニカム状（ジオセル）フレキシブル型枠に充填する、苗充填流動性処理工法によって前記多孔質コンクリートによる防潮堤被覆工を緑化することを特徴とする耐震性防潮堤盛土のり面の緑化工法。
【請求項７】
請求項１記載の耐震性防潮堤盛土のり面の緑化工法において、潮風が強い海岸部、酸性土壌（ｐＨ４．５）、あるいはアルカリ土壌（ｐＨ９）でも生育するベンケイソウ科、シーショアパスパラム、またはイワダレソウを改良した種類の植物の苗を被覆材、侵食防止材、増粘剤を混入した被覆・吹付け材を再生ペット（ポリエステル樹脂）を特殊エンボス加工した芯体にポリエステル長繊維不織布のフィルターで覆った構造の表面被覆材に吹き付ける（苗吹付け緑化工法）ことによって前記多孔質コンクリートによる防潮堤被覆工を緑化することを特徴とする耐震性防潮堤盛土のり面の緑化工法。
【請求項８】
請求項１記載の耐震性防潮堤盛土のり面の緑化工法において、再生ペット（ポリエステル樹脂）を特殊エンボス加工した芯材にさらに波型加工を加え、植物の根茎が貫通するように、芯材およびフィルター共に孔を開ける表面被覆材を用いることを特徴とする耐震性防潮堤盛土のり面の緑化工法。
【請求項９】
請求項４記載の耐震性防潮堤盛土のり面の緑化工法において、前記ポーラスコンクリートに直接添付する被覆材のフィルターに、覆土材・吹付け材のダレ防止用の帯袋を縫製した表面被覆材を用いることを特徴とする耐震性防潮堤盛土のり面の緑化工法。
【請求項１０】
請求項１記載の耐震性防潮堤盛土のり面の緑化工法において、覆土材には雑草が生えないように防草性資材としてアルカリ性土壌の石灰系残土を被覆材として用いることを特徴とする耐震性防潮堤盛土のり面の緑化工法。
【発明の詳細な説明】
【技術分野】
【０００１】
本発明は、耐震性防潮堤盛土のり面の緑化工法に係り、特に、ジオシンセティック補強盛土工による防潮堤堤体と表面被覆工とを一体化した耐震性防潮堤盛土のり面の緑化工法に関するものである。
鉄道・道路、宅地造成地などで構築されている盛土補強土壁工法の中の「剛な一体壁面を活用したジオシンセティック補強土擁壁」（通称ＲＲＲ−Ｂ工法）は、剛で一体な壁面工を、ジオシンセティック補強盛土の施工後に場所打ちコンクリートを打設して構築している。このＲＲＲ−Ｂ工法による剛で一体の壁面工を持つジオシンセティック補強土擁壁は、既に１９９５年の阪神淡路大震災で耐震性が高いことは証明されていた。
【０００２】
加えて、剛で一体の壁面工を持つジオシンセティック補強土擁壁、およびこれを橋台とした補強土橋台が仙台付近、一ノ関付近、および盛岡付近で少なからず構築されていたが、２０１１年東日本大震災においてもすべて無被害であり、改めて高い耐震性を有することが証明された。
一方、今回の東日本大震災においては、巨大津波により従来工法で構築されていた盛土形式の防波堤・防潮堤・海岸堤防・河口近くの河川堤防等の多くが壊滅的に破壊した。
【背景技術】
【０００３】
東日本大震災での甚大な被害の多くは、従来の内陸型地震とは異なり東日本の太平洋沿岸部を襲った巨大津波によるものであった。この巨大津波に対して、従来の津波防御施設（防波堤・防潮堤・海岸堤防・河口近くの河川堤防等）は、津波高さが想定高さを超える程度までは機能していたが、その多くは、巨大津波として押し寄せてきた津波の高さが、これらの施設高さを遥かに超えてからの越流に伴う盛土の侵食・基礎地盤の洗掘等によって基礎地盤とともに崩壊してしまっている。
【０００４】
従来の盛土形式の防潮堤（下記非特許文献４参照）は、図１３に示すように、基礎地盤１０１に構築された堤体盛土１０２、波返工１０４を有する表のり面被覆工１０３、天端被覆工１０５、裏のり面被覆工１０６による三面張りのコンクリート工により構成されている。
しかしながら、このような防潮堤では、図１４に示すような越流した津波Ａ1 〜Ａ4 が下流側（陸側）の裏のり面被覆工１０６を急速に流下する際に生じる強烈な揚圧力Ｆにより、〔流線が急激に曲がっているために強烈な揚圧力Ｆを生じる〕、堤体盛土１０２に固定されていない天端被覆工１０５と下流側裏のり面被覆工１０６の最上段の被覆工がまず剥ぎ取られ、そこから堤体盛土１０２の侵食が開始されて、また、下流側基礎地盤の洗掘も生じて下流側裏のり面被覆工１０６が崩壊して堤体盛土１０２の侵食が開始され、やがて引き波等によって全断面が喪失したと思われる例が多かった。
【先行技術文献】
【非特許文献】
【０００５】
【非特許文献１】龍岡文夫：「２０１１年東日本大震災からの復旧・復興での補強土構造物，ＲＲＲ工法協会だより，Ｎｏ．１３，２０１１年０８月
【非特許文献２】地震工学会：「地震時における地盤災害の課題と対策−２０１１年東日本大震災からの教訓と提言」（第１次），２０１１年７月
【非特許文献３】日経コンストラクション，ｐｐ．３４〜４３，２０１１．１０．２４
【非特許文献４】海岸保全施設技術研究会編：「海岸保全施設の技術上の基準・同解説」、平成１６年６月
【発明の概要】
【発明が解決しようとする課題】
【０００６】
図１５及び図１６には、東日本大震災での従来の盛土形式の防潮堤の被害例が示されている。
従来の盛土形式の防潮堤の構造上の最大の欠点は、上記したように、表のり面被覆工、天端被覆工、裏のり面被覆工からなる三面張りコンクリート工が固定されていないことにより、越流による揚圧力と裏のり面先の地盤の洗掘により、容易に不安定に流出されやすいことと、さらに堤体盛土が無補強であるためコンクリート工の流出後に越流による侵食に対する抵抗力が小さいことである。
【０００７】
図１５には、天端被覆工のコンクリートスラブと下流側裏のり面被覆工の最上段のコンクリート工がはぎ取られた防潮堤（大船渡市三陸町越喜来漁港付近）が示されており、図１６には、天端被覆工のコンクリートスラブが移動し下流側裏のり面被覆工の最上段の被覆工のコンクリート工がはぎ取られた防潮堤（宮古南津軽石付近）が示されている。これらの箇所の延長上では全断面が消失した箇所がある。
【０００８】
そこで、震災復興の過程で、海岸保全施設で防ぐ津波の高さの設定方法等は見直され、海岸堤防の高さを決める際に必要な『設計津波』の水位の設定方法は変わり、場所によっては大幅に高くなり、また、設計津波を超える高さの津波に襲われても直ちに全壊しない『ねばり強い構造』を目指す方針が示されている。
その方法として、以下に示すような方法が提案されている。１９５３年の台風１３号によって三重県や愛知県の伊勢湾沿岸では土堤が崩れ甚大な被害が発生したのを契機にコンクリートの三面張りを採用し、１９５９年の伊勢湾台風ではこの三面張りは壊れなかったという事実から、津波が越流しても堤体は流出せず、裏のり面被覆工ののり尻部が洗掘されないようにするために、次のような提案がされている。
（１）図１７に示すように、裏のり面被覆工２０６ののり尻部にコンクリートなどの被覆２０７を施す。
（２）図１８に示すように、裏のり面被覆工２０６へ盛土２０８を施す。
（３）図１９に示すように、表のり面被覆工２０４へ消波工２０９や根固め工２１０を設置する
（４）図２０に示すように、裏のり面被覆工２０６への被覆２１１により天端幅２１２を拡大する
などが提案されている。なお、これらの提案においても図１３と同様に基礎地盤２０１に構築された堤体盛土２０２、波返工２０４を有する表のり面被覆工２０３、天端被覆工２０５、裏のり面被覆工２０６による三面張りのコンクリート工により構成されている。
【０００９】
しかしながら、上記各提案においても、図１４に示したように、越流した津波が下流側（陸側）の裏のり面被覆工２０６を急速に流下する際に生じる強烈な揚圧力により、堤体盛土２０２に固定されていない天端被覆工２０５と下流側裏のり面被覆工２０６の最上段の被覆工２０６Ａがまず剥ぎ取られ、そこから補強されていないため抵抗力が弱い堤体盛土２０２の侵食が開始されて、やがて引き波等によって全断面が流出することが想定されるため、これらの対策だけでは効果的に機能しない。
【００１０】
また、堤体盛土２０２は補強されていないため必要な耐震性を確保するのが難しい。さらに、長期にわたる波浪・豪雨等による堤体盛土２０２内からの浸透流のため堤体盛土の盛土材が吸い出される可能性があるといった問題がある。
本発明は、剛な一体壁面工を有するジオシンセティック補強土擁壁を、津波防御施設（防潮堤・海岸堤防・河口近くの河川堤防等）に用い、防潮堤盛土体と表面被覆工とを一体化して高耐震性防潮堤として機能させる構造とし、そのための耐震性防潮堤盛土のり面の表面被覆工を緑化する工法に関するものである。
【００１１】
本発明は、上記状況に鑑みて、押し波に強いと同時に津波が防潮堤を越流した場合にも、揚圧力（負圧）が作用しない、もしくは揚圧力を低減させることができる耐津波性および耐震性を確保した耐震性防潮堤盛土のり面の緑化工法を提供することを目的とする。
【課題を解決するための手段】
【００１２】
本発明は、上記目的を達成するために、
〔１〕耐震性防潮堤盛土のり面の緑化工法において、津波越流時に作用する揚圧力によってのり面被覆工が剥ぎとられないように、ジオシンセティック補強材によって堤体盛土と一体化し、耐震性、耐津波性を高めることを特徴とする。
〔２〕上記〔１〕記載の耐震性防潮堤盛土のり面の緑化工法において、防潮堤の、前記下流側裏のり面の被覆工に津波越流時に生じる揚圧力（負圧）が作用しないようにするために、ハニカム状あるいは格子状型枠内に透水性・通気性に優れた多孔質コンクリートを用い、中詰めする方法とし、しかも前記多孔質コンクリートを用いて緑化することを特徴とする。
【００１３】
〔３〕上記〔１〕記載の耐震性防潮堤盛土のり面の緑化工法において、前記下流側裏のり面の被覆工の緑化部のみが剥ぎとられ、引き波時にも堤体盛土の構造体として機能することを特徴とする。
〔４〕上記〔１〕記載の耐震性防潮堤盛土のり面の緑化工法において、前記多孔質コンクリートは剛壁面一体化堤体盛土の構造体として機能するように高強度化するとともに、緑化工として機能させるために保水性がある材料特性を有するポーラスコンクリートを用いることを特徴とする。
【００１４】
〔５〕上記〔４〕記載の耐震性防潮堤盛土のり面の緑化工法において、強度と植生コンクリートしての保水性を確保するために、単粒土砕石の粒径を前記ポーラスコンクリートより大きくすると共に、その空隙を保水性の大きい高強度軽石と細粒土で埋めることによって保水性・高強度を有するポーラスコンクリートを用いることを特徴とする。
〔６〕上記〔１〕記載の耐震性防潮堤盛土のり面の緑化工法において、潮風が強い海岸部、酸性土壌（ｐＨ４．５）、あるいはアルカリ土壌（ｐＨ９）でも生育するベンケイソウ科、シーショアパスパラム、またはイワダレソウを改良した種類の植物の苗、および被覆材、侵食防止材、増粘剤等を混入した流動性処理土をハニカム状（ジオセル）フレキシブル型枠に充填する、苗充填流動性処理工法によって前記多孔質コンクリートによる防潮堤被覆工を緑化することを特徴とする。
【００１５】
〔７〕上記〔６〕記載の耐震性防潮堤盛土のり面の緑化工法において、被覆・吹付け材を再生ペット（ポリエステル樹脂）を特殊エンボス加工した芯体にポリエステル長繊維不織布のフィルターで覆った構造の表面被覆材に吹き付ける（苗吹付け緑化工法）ことによって前記多孔質コンクリートによる防潮堤被覆工を緑化することを特徴とする。
〔８〕上記〔１〕記載の耐震性防潮堤盛土のり面の緑化工法において、再生ペット（ポリエステル樹脂）を特殊エンボス加工した芯材にさらに波型加工を加え、植物の根茎が貫通するように、芯材およびフィルター共に孔を開ける表面被覆材を用いることを特徴とする。
【００１６】
〔９〕上記〔４〕記載の耐震性防潮堤盛土のり面の緑化工法において、前記ポーラスコンクリートに直接添付する被覆材のフィルターに、覆土材・吹付け材のダレ防止用の帯袋を縫製した表面被覆材を用いることを特徴とする。
〔１０〕上記〔１〕記載の耐震性防潮堤盛土のり面の緑化工法において、覆土材には雑草が生えないように防草性資材としてアルカリ性土壌の石灰系残土を被覆材として用いることを特徴とする。
【発明の効果】
【００１７】
本発明によれば、
（１）耐震性防潮堤盛土のり面の被覆工と堤体盛土とをジオシンセティックス等の補強材で一体化することによって、押し波にも強い構造とすると同時に、さらにのり面被覆工に透水性・通気性に優れた高強度多孔質コンクリートを用いることによって、巨大津波等が防潮堤を越流したとしても、揚圧力（負圧）が作用しない、もしくは低減させることが可能な耐震性防潮堤盛土のり面構造体となる。
（２）単粒土砕石の粒径を従来のポーラスコンクリートより大きくすると共に、その空隙を保水性の大きい高強度鹿沼土と細粒土で埋めることによって防潮堤被覆工の緑化が可能となる。
（３）潮風が強い海岸部、酸性土壌（ｐＨ４．５）、あるいはアルカリ土壌（ｐＨ９）でも生育するベンケイソウ科、シーショアパスパラム、またはイワダレソウ等を改良した種類の植物の苗を吹き付ける、あるいは苗を混入した被覆材を充填することによってポーラスコンクリート内、もしくは堤体盛土内への根茎の貫入によって植物の生育が可能となるとともに、植物の根の成長によって防潮堤盛土本体が安定する。
（４）さらに、三面張りの防潮堤被覆工と堤体盛土とを一体化させることによって、天端被覆工と上下流側のり面の被覆工（コンクリート工）が剥ぎとられることがない。仮に緑化部が破損した場合でも、堤体盛土と被覆工の骨組みは一体化しており、さらに、盛土は多層面状補強材で補強されているので侵食に対しての抵抗力がある。このため、防潮堤の機能が失われない。
（５）そのため、堤体盛土材が流出せず、仮に被災した場合にも復旧工事も容易になる。
（６）下流部に敷設するジオセル（プラスティックハニカム）を延長することによって洗掘防止工となる。
（７）三面張り被覆工、堤体盛土、水叩き部を一体化することによって、防潮堤全体として壊滅的な破壊に至ることは容易には生じない。
（８）防潮堤の天端、および下流側のり面の被覆工を緑化することによって、自然景観の維持に貢献し環境にやさしい構造体となる。（コンクリート反射熱の減少によってヒートアイランド対策に寄与する）
【図面の簡単な説明】
【００１８】
【図１】本発明の実施例を示すセル構造体（ジオセル）と面状補強材を用いて三面被覆工を一体化した例を示す模式図である。
【図２】本発明の実施例を示す防潮堤のり面の上流側は急勾配で下流側は緩勾配である場合の耐震性防潮堤防の構築方法を説明する断面図である。
【図３】本発明の実施例を示す面状補強材とジオセルとを一体化する防潮堤を示す模式図である。
【図４】本発明の実施例を示すジオセル内にポーラスコンクリートを締固め、もしくは吹き付けた状態を示す図面代用写真である。
【図５】本発明の実施例を示す苗を混入した植生基盤材をポーラスコンクリートに直接吹付け、もしくは充填する例を示す図面代用写真である。
【図６】本発明の実施例を示すプレキャストコンクリート枠内にジオセルを敷設し、ポーラスコンクリートを吹付け、その後、そのポーラスコンクリートに苗を混入した植生基盤材を直接吹付け、もしくは充填する例を示す図面代用写真である。
【図７】本発明の実施例を示す表面被覆材の構成図である。
【図８】本発明の実施例を示す表面被覆材に植生基盤材を吹き付けた状態の模式図である。
【図９】本発明の実施例を示す覆土材・吹付け材のダレ防止用の帯体を縫製した不織布の例を示す模式図である。
【図１０】本発明の実施例を示す再生ペットを特殊エンボス形状に加工した芯材で構成されたダレ防止用不織布（片側のみ）の例を示す模式図である。
【図１１】本発明の実施例を示す被覆材を示す図面代用写真である。
【図１２】本発明の実施例を示す保水性・高強度ポーラスコンクリートの模式図である。
【図１３】従来の盛土形式の防潮堤の模式図である。
【図１４】図１３の防潮堤を越流した場合の破壊の説明図である。
【図１５】従来の盛土形式の防潮堤の被害例（その１）を示す図である。
【図１６】従来の盛土形式の防潮堤の被害例（その２）を示す図である。
【図１７】従来の裏のり面被覆工ののり尻部にコンクリートなどの被覆を施した例を示す模式図である。
【図１８】従来の裏のり面被覆工へ盛土を施した例を示す模式図である。
【図１９】従来の表のり面被覆工へ消波工や根固め工を設置した例を示す模式図である。
【図２０】従来の裏のり面被覆工への被覆により天端幅を拡大した例を示す模式図である。
【発明を実施するための形態】
【００１９】
本発明の耐震性防潮堤盛土のり面の緑化工法において、盛土のり面の被覆工と堤体盛土とをジオシンセティックス等の補強材で一体化することによって、押し波にも強い構造とすると同時にさらに津波越流時に生じる揚圧力（負圧）が作用しないもしくは低減されるようにするために、前記防潮堤の被覆工のコンクリートに透水性・通気性に優れた高強度とし多孔質コンクリートを用い、しかも前記多孔質コンクリートを緑化する耐津波性および耐震性を確保するようにした。
【実施例】
【００２０】
以下、本発明の実施の形態について詳細に説明する。
図１は本発明の実施例を示すセル構造体（ジオセル）と面状補強材を用いて三面被覆工を一体化した例を示す図である。
本発明は、以下のような耐震性防潮堤盛土のり面の緑化工法による。
（１）この図は越流した津波１１が下流側（陸側）の裏のり面５を急速に流下する際に生じる強烈な揚圧力（負圧）により、基礎地盤１上の堤体盛土２に固定されていない天端被覆工４と下流側裏のり面５の被覆工（コンクリート工）がはぎとられないように堤体盛土２と一体化する。また、堤体盛土２を多層の面状補強材６によって補強することにより、耐震性を高めると同時に、長期に亘る盛土材の吸い出しと越流による侵食に対して抵抗できるような剛壁面一体化補強土構造体とする。
【００２１】
（２）同様に、越流した津波が下流側（陸側）の裏のり面５を急速に流下する際に生じる強烈な揚圧力（負圧）が作用しないように、もしくは低減するために、天端被覆工４と下流側裏のり面５の被覆工（コンクリート工）には、プラスチックハニカム構造のセル構造体（ジオセル）、あるいは格子状型枠内に透水性・通気性に優れたポーラスコンクリートを中詰めする。ただし、上流側のり面勾配がゆるい、上記同様の方法を採用する場合もある。
【００２２】
（３）この天端被覆工４と、下流側裏のり面５の被覆工（コンクリート工）に用いるポーラスコンクリートは、剛壁面一体化補強土構造体として機能するように高強度化するとともに、緑化工として機能させるためにある程度の保水性のある材料特性を有する多孔質コンクリートとする。
（４）保水性を有する高強度ポーラスコンクリートとするための方法として、単粒土砕石の粒径を従来のポーラスコンクリートに用いられているもの（従来は、２．５〜５．０ｍｍ程度）より大きくすると共に、植生機能を付加するためにその空隙を保水性を有する高強度軽石（鹿沼土）と細粒土で埋めることによって相反する２つの機能（高強度および保水性）を有するポーラスコンクリートを形成する。
【００２３】
ポーラスコンクリートの打設は、吹付け、あるいは締固めのどちらでも良い。
（５）粒径の大きい単粒度砕石で空隙を確保し（空隙率１８％程度以上）、その空隙を保水性の高い高強度軽石（鹿沼土等）と細粒土で埋めることによって、植物（根茎の細い）の根を貫通させる。
（６）緑化工法としては、防潮堤のほとんどが海岸域に構築されることが多いことから、潮風が強い海岸部、酸性土壌（ｐＨ４．５）、あるいはアルカリ土壌（ｐＨ９）でも生育するベンケイソウ科、シーショアパスパラム、またはイワダレソウ等を改良した種類のものの苗を吹付ける方法（苗吹付け緑化工法）、もしくは苗、侵食防止材等を混入した流動性処理土を充填する方法（苗充填流動性処理工法）とする。
【００２４】
（７）ハニカム構造のセル構造体（ジオセル）フレキシブル型枠等を用いることなく、直接、ポーラスコンクリートに苗吹付けを行う場合には、再生ペット（ポリエステル樹脂）を特殊エンボス加工した芯体にポリエステル長繊維不織布のフィルターで覆った構造の帯状排水材を面的に敷設し、凹凸部に苗を充填した覆土材・吹付け材がのり先方向にダレるのを防止する。
【００２５】
（８）再生ペット（ポリエステル樹脂）を特殊エンボス加工した芯材にさらに波型加工を加え、植物の根茎が貫通するように、芯材およびフィルター共に孔を開けることを特徴とする表面被覆材を用いる。
（９）ポーラスコンクリートに直接添付する被覆材のフィルターには、覆土材・吹付け材のダレ防止用の帯袋を縫製する。
【００２６】
（１０）覆土材としては、雑草が生えないように防草性資材としてアルカリ性土壌の石灰系残土を用いる。
図２は本発明の実施例を示す防潮堤のり面の上流側は急勾配で下流側は緩勾配である場合の耐震性防潮堤防の構築方法を説明する断面図である。
この図において、２１は基礎地盤、２２は堤体盛土、２４は波返工２３を有する表のり面被覆工、２５は天端被覆工、２６は裏のり面被覆工、２７は土のう、２８は面状補強材（ジオグリッド等）であり、やはり、表のり面被覆工２４、天端被覆工２５及び裏のり面被覆工２６（いずれもコンクリート工）を剛結合した三面張りコンクリート工を構成している。
【００２７】
ここでは、急勾配である表のり面被覆工２４が土のう２７を巻き込むようにしており、天端幅が広い場合には上部も土のう２７を巻き込む構造とする一方、表のり面被覆工２４と裏のり面被覆工２６を面状補強材（ジオグリッド等）２８と一体化して、剛な壁面工を構築し、堤体盛土２２の盛土材が流出しないように構造としている。
なお、図１〜図２の例示以外でも状況に応じて表のり面被覆工と裏のり面工の組み合わせは多々存在するが、それらについても除外するものではない。
【００２８】
また、防潮堤の天端を鉄道などに用いる場合には、天端被覆工がアスファルト路盤であったり、土路盤であったりするが、それらについても除外するものではない。
次に、天端被覆工と下流側のり面被覆工に透水性・通気性に優れた高強度多孔質コンクリートを用いることによって、揚圧力（負圧）が作用しない、もしくは低減させる構造体について説明する。
【００２９】
図３は本発明の実施例を示す面状補強材とジオセルとを一体化する防潮堤を示す模式図であり、図３（ａ）はその全体図、図３（ｂ）は図３のＡ部拡大図である。
図３において、３１は堤体盛土、３２はジオグリッド材、３３は表のり面被覆工、３３Ａは躯体コンクリート、３４は裏のり面被覆工、３５は防錆鉄筋、３６は盛土押圧用プレート、３６Ａはそのナット、３７は躯体鉄筋連結用プレート、３７Ａはそのナットである。
【００３０】
このように、堤体盛土３１の表のり面被覆工３３と裏のり面被覆工３４との間に面状補強材（ジオグリッド材）３２と防錆処理をした防錆鉄筋３５、または防錆鉄筋棒と複数枚の盛土押圧用プレート３６を締結することによって高剛性プレートを構築し、盛土堤体３１と表のり面被覆工３３および裏のり面被覆工２４を一体化して配置するようにした。
図４は本発明の実施例を示すジオセル内にポーラスコンクリートを締固め、もしくは吹き付けた状態を示す図面代用写真であり、ジオセル４１内にポーラスコンクリート４２を締固め、もしくは吹き付けた状態（多孔質コンクリートのため負圧が低減される）を示しており、粒径を大きくして透水性・通気性を高めることができる。
【００３１】
次に、苗を混入した植生基盤材をジオセル内にあらかじめ設置してあるポーラスコンクリートに直接吹付け、もしくは充填する例について説明する。          図５は本発明の実施例を示す苗を混入した植生基盤材をポーラスコンクリートに吹き付け、もしくは充填する例を示す図面代用写真であり、苗を混入した植生基盤材をポーラスコンクリート５１に吹き付け、もしくは充填するようにしている。
【００３２】
潮風が強い海岸部、酸性土壌（ｐＨ４．５）、或いはアルカリ土壌（ｐＨ９）でも生育するベンケイソウ科、シーショアパスパラム、またはイワダレソウ等を改良した種類の苗、および被覆材、侵食防止材、増粘剤等を混入した流動性処理土をハニカム構造のセル構造体（ジオセル）フレキシブル型枠等に充填する（苗充填流動性処理工法）とすることもできる。
【００３３】
図６は本発明の実施例を示すプレキャストコンクリート枠内にジオセルを敷設し、ポーラスコンクリートを吹付け、その後、そのポーラスコンクリートに苗を混入した植生基盤材を直接吹付け、もしくは充填する例を示す図面代用写真である。つまり、プレキャストコンクリート枠６１内にジオセル６２を敷設し、ポーラスコンクリートを吹き付け、その後、そのポーラスコンクリートに苗を混入した植生基盤材を直接吹付け、もしくは充填する例（実際には図６のようにジオセル６２内上部を５ｃｍ程度空けておき、この部分に植生基盤材を吹き付ける）を示している。型枠は、上記のジオセルに加え、プレキャストコンクリート、金属製（メッキ塗装）、および簡易な金網型のいずれでもよい。
【００３４】
このように構成することにより、枠内を多孔質コンクリートとするために揚圧力（負圧）が作用しなくなる、あるいは低減される。
被覆材を多孔質コンクリートを吹き付ける構造とするため、津波が越流した場合は、この緑化部のみが剥ぎ取られるが、堤体と一体化した格子枠、およびジオセル部は破壊しない。
【００３５】
次に、苗を混入した植生基盤材がのり面方向にダレないように、再生ペット（ポリエステル樹脂）を特殊エンボス加工した芯体にポリエステル長繊維不織布のフィルターで覆った構造の表面被覆材を設けるようにする。
図７はその表面被覆材の構成図であり、図７（ａ）はその表面被覆材を示す図、図７（ｂ）はエンボス加工した芯材（この形状の芯材に波型加工を加える）を示す図である。
【００３６】
図７において、エンボス加工した芯体７１、およびフィルターに根を貫通させるための穴をあける。そのエンボス加工した芯体７１に波型加工を加えた表面被覆材７２である。
図８は本発明の実施例を示す表面被覆材に植生基盤材を吹き付けた状態の模式図である。
この図において、波型加工された表面被覆材７３の窪んだ部分７４に植生基盤材７５を吹き付けるようにしている。
【００３７】
図９は本発明の実施例を示す覆土材・吹付け材のダレ防止用の帯体を縫製した不織布の例を示す模式図であり、図９（ａ）はその部分断面の模式図、図９（ｂ）はその斜視の模式図である。
図９において、堤体盛土８１上のジオセル８２にポーラスコンクリート８３が設けられ、ポーラスコンクリート８３表面には透水性ジオシンセティックスである不織布８４が縫製され、不織布８４にはダレ防止用帯体８５が設けられ、その上を吹付植生基盤材８６で覆うように構築している。
【００３８】
次に、図１０は本発明の実施例を示す再生ペットを特殊エンボス形状に加工した芯材で構成されたダレ防止用不織布（片側のみ）の例を示す断面図である。
この図において、堤体盛土９１上のジオセル９２にポーラスコンクリート９３が設けられ、ポーラスコンクリート９３表面には波型形状の不織布９４とエンボス加工した芯（再生ペット）（穴あき）９５が設けられ、この再生ペットの窪みに吹付植生基盤材９６が構築される。
【００３９】
図１１は発明の実施例を示す被覆材を示す図面代用写真であり、被覆材としては、天然のココナッツ長繊維９７Ａと紫外線で分解するポリプロピレンネット９７Ｂを用いた植生養生マット９７を覆土材・吹付け材のダレ防止用に用いてもよい。
次に、保水性・高強度ポーラスコンクリートの構成について説明する。
耐震性防潮堤盛土のり面の被覆工として、津波越流時に揚圧（負圧）が作用しない、あるいは低減するために、ある程度の強度と多孔質性を有すると共に、植生コンクリートとしての保水性を確保するために、単粒土砕石の粒径を従来のポーラスコンクリートに用いられているもの（従来は２０ｍｍ程度）より大きくすると共に、植生機能を付加するためにその空隙を保水性を有する高強度軽石（鹿沼土）と細粒土で埋めることによって相反する２つの機能（高強度および保水性）を有するポーラスコンクリートを形成する。従来のものより粒径を大きくするのは、植物の根茎が嵌入し防潮堤盛土体に繁茂させるためでもある。
【００４０】
図１２は本発明の実施例を示す保水性・高強度ポーラスコンクリートの模式図である。
この図において、粒径の大きい単粒度砕石９８で空隙９９を確保し、保水性の高い高強度の鹿沼土１００と細粒分でその空隙９９を埋める。ＡＥ減水剤を主成分とした特殊添加剤Ａと、増粘材を主成分とした特殊添加剤Ｂ、およびセメントと混合することによって、高強度で保水性のあるポーラスコンクリートを作製する。
【００４１】
なお、本発明は上記実施例に限定されるものではなく、本発明の趣旨に基づき種々の変形が可能であり、これらを本発明の範囲から排除するものではない。
【産業上の利用可能性】
【００４２】
本発明の耐津波性および耐震性を確保した防潮堤盛土のり面の緑化工法は、津波が防潮堤を越流した場合にも、押し波にも強いと同様に揚圧力（負圧）が作用しない、もしくは揚圧力を低減させることができる耐津波性および耐震性を確保した防潮堤盛土のり面の緑化工法として利用可能である。
【符号の説明】
【００４３】
１，２１    基礎地盤
２，２２，３１，８１，９１    堤体盛土
４，２５    天端被覆工
５    下流側裏のり面
６    面状補強材
１１    越流した津波
２３    波返工
２４，３３    表のり面被覆工
２６，３４    裏のり面被覆工
２７    土のう
２８    面状補強材（ジオグリッド等）
３２    ジオグリッド材
３３Ａ    躯体コンクリート
３５    防錆鉄筋
３６    盛土押圧用プレート
３６Ａ，３７Ａ    ナット
３７    躯体鉄筋連結用プレート
４１，６２，８２，９２    ジオセル
４２，５１，８３，９３    ポーラスコンクリート
６１    プレキャストコンクリート枠
７１    エンボス加工した芯体
７２，７３    波型加工を加えた表面被覆材
７４    窪んだ部分
７５    植生基盤材
８４，９４    不織布
８５    ダレ防止用帯体
８６，９６    吹付植生基盤材
９５    エンボス加工した芯（再生ペット）（穴あき）
９７    植生養生マット（覆土材・吹付け材のダレ防止用）
９７Ａ    天然のココナッツ長繊維
９７Ｂ    紫外線で分解するポリプロピレンネット
９８    粒径の大きい単粒度砕石
９９    空隙
１００    保水性の高い高強度の鹿沼土
【図１】
2014177777.tif 000003
【図２】
2014177777.tif 000004
【図３】
2014177777.tif 000005
【図４】
2014177777.tif 000006
【図５】
2014177777.tif 000007
【図６】
2014177777.tif 000008
【図７】
2014177777.tif 000009
【図８】
2014177777.tif 000010
【図９】
2014177777.tif 000011
【図１０】
2014177777.tif 000012
【図１１】
2014177777.tif 000013
【図１２】
2014177777.tif 000014
【図１３】
2014177777.tif 000015
【図１４】
2014177777.tif 000016
【図１７】
2014177777.tif 000017
【図１８】
2014177777.tif 000018
【図１９】
2014177777.tif 000019
【図２０】
2014177777.tif 000020
【図１５】
2014177777.tif 000021
【図１６】
2014177777.tif 000022